(57)【特許請求の範囲】
【請求項１】
工作機械に装着されてワークに溝加工を行うための切削工具であって、
前記工作機械に接続されるベースと、前記ベースに支持されてロータ回転軸まわりに回転自在なロータと、前記ロータに支持されて前記ロータ回転軸に平行なカッタ回転軸まわりに回転自在な複数のカッタと、前記ベースに対して前記ロータを回転させるロータ駆動モータと、前記ロータに対して前記カッタを回転させるカッタ駆動モータと、を有することを特徴とする切削工具。
【請求項２】
請求項１に記載した切削工具において、
前記工作機械は、先端に切削工具が装着されるスピンドルと、前記スピンドルを支持しかつ前記スピンドルをその中心軸廻りに回転駆動するヘッドとを有し、
前記ベースは前記ヘッドに接続され、
前記ベースには、前記スピンドルに接続されて前記スピンドルの回転により発電する発電機が設置され、
前記ロータ駆動モータおよび前記カッタ駆動モータは前記発電機が発電する電力を電源として回転することを特徴とする切削工具。
【請求項３】
先端に切削工具が装着されるスピンドルと、前記スピンドルを支持しかつ前記スピンドルをその中心軸廻りに回転駆動するヘッドと、を有する工作機械に装着されてワークに溝加工を行うための切削工具であって、
前記ヘッドに接続されるベースと、前記ベースに支持されてロータ回転軸まわりに回転自在なロータと、前記ロータに支持されて前記ロータ回転軸に平行なカッタ回転軸まわりに回転自在な複数のカッタと、前記ロータに対して前記カッタを回転させるカッタ駆動モータと、前記ベースに設置され、前記スピンドルに接続されて前記スピンドルの回転を前記ロータに伝達する機構と、を有することを特徴とする切削工具。
【請求項４】
先端に切削工具が装着されるスピンドルと、前記スピンドルを支持しかつ前記スピンドルをその中心軸廻りに回転駆動するヘッドと、を有する工作機械に装着されてワークに溝加工を行うための切削工具であって、
前記ヘッドに接続されるベースと、前記ベースに支持されてロータ回転軸まわりに回転自在なロータと、前記ロータに支持されて前記ロータ回転軸に平行なカッタ回転軸まわりに回転自在な複数のカッタと、
前記ベースに設置され、前記スピンドルに接続されて前記スピンドルの回転を前記ロータまたは前記カッタに伝達する動力伝達機構と、を有し、
前記動力伝達機構は、前記スピンドルの回転を前記ロータまたは前記カッタのいずれかに切り替えるクラッチ機構を有することを特徴とする切削工具。
【請求項５】
ワークに溝加工を行うための工作機械であって、
前記ワークを載置するテーブルと、前記テーブルに対して移動される請求項１から請求項４のいずれか一項に記載の切削工具とを有することを特徴とする工作機械。
【請求項６】
ワークに溝を加工するための溝加工方法であって、
請求項１から請求項４のいずれか一項に記載の切削工具を用い、
前記ロータを前記ベースに対して回転させて前記溝の幅方向における複数の前記カッタの最大幅を調節し、
複数の前記カッタを回転させつつ前記溝の連続方向へ移動させて、前記ワークに前記最大幅の前記溝を加工することを特徴とする溝加工方法。
【発明の詳細な説明】
【技術分野】
【０００１】
本発明は、工作機械に装着されてワークに溝を切削加工する切削工具、ワークに溝を切削加工する工作機械および溝加工方法に関する。
【背景技術】
【０００２】
従来、切削加工分野では様々な工作機械が用いられており、ＮＣ制御あるいは手動で操作される縦横のフライス盤や、工具交換装置を備えたマシニングセンタ等が用いられている。
工作機械では、スピンドル先端に切削工具を装着したうえでスピンドルを高速回転させるとともに、Ｘ，Ｙ，Ｚの３軸駆動系で工具の刃物位置を正確に制御することで、ワークの指定位置に対して高精度な加工を実現している。
【０００３】
工作機械に装着される切削工具として、ワークに対して例えば連続した溝加工を行う場合、外周に刃先が形成された工具が用いられる。このような工具としては、例えば棒状ないし円柱状の外周面に刃先を形成したもの（特許文献１参照）、あるいは円柱状の支持部分の外周に刃先を配列したもの（特許文献２参照）が知られている。
【先行技術文献】
【特許文献】
【０００４】
【特許文献１】特開２００８−０５５５９４号公報
【特許文献２】特表２００１−５１９２４８号公報
【発明の概要】
【発明が解決しようとする課題】
【０００５】
前述した溝加工用の切削工具では、ワークに形成される溝の幅が工具によって決まる。つまり、工具の外周面に形成された刃先の最外周部分が描く回転軌跡の直径がワークの溝幅となって現れる。
従って、ワークの溝幅を変更したい場合あるいは異なる幅の溝加工を行う場合には、切削工具を交換する必要が生じていた。このような工具交換は、人手による場合は勿論のこと、工具交換装置による交換であっても所定の時間を要し、作業効率を低下させる原因となっていた。
【０００６】
なお、工具の外周径よりも大きい溝幅を加工する場合、溝加工を２回以上繰り返すことにより、工具交換なしに加工が可能である。しかし、この場合でも作業効率の低下は避けられない。
さらに、ワークに加工する溝が、溝の長手方向に沿ってその幅寸法が変化する形状である場合、同じ工具のまま１回で加工することは不可能であり、必ず幅寸法を規定する両側内面に沿った２回以上の切削が必要となっていた。
同様に、例えば横中ぐり盤など、ワークが切削工具に対して回転する形式の装置において、ワークにその回転中心に沿って延びる溝を加工する場合、溝内の対向する両側内面は正確にはワークの径方向の面となり、その結果、溝断面は矩形ではなく扇形となる。特に、溝幅がワーク直径に対して大きい場合、扇形が顕著となり、通常の矩形断面の溝を形成できないことになる。
【０００７】
前述のように、加工内容によっては、同じ切削工具による複数回の加工が必要になる場合がある。さらに、同じ切削工具では加工ができないため、異なる切削工具に取り替えて複数回の加工を行う場合もある。このような場合、切削工具の交換を伴う複数回の加工は避けられないものであった。
【０００８】
例えば、幅広い溝の底部に狭い溝を二段に形成する場合、狭い溝に対応した切削工具で全てを加工することも可能であるが、加工の繰り返し回数が多数となり煩雑で非効率的である。このため、先ず幅広い溝の幅に対応する大径の切削工具で１段目の溝を形成し、その底面に狭い溝の幅に対応する小径の切削工具で２段目の溝を形成することが行われる。しかし、このような場合でも工具交換を伴う２回の溝加工が必要となる。
工具交換が必要となる他の例として、表面仕上げ精度が異なる研削あるいは研磨を行う場合、粗密の２種類の工具を取り替えて２回の加工を行う必要がある。
このように、異なる幅や高さ等の寸法、異なる仕上げ精度、複雑な形状など、異なる条件での加工が必要な場合、複数の工具を交換しつつ２回以上の加工動作が必須であった。
【０００９】
本発明の目的は、異なる幅の溝を加工できる切削工具、工作機械および溝加工方法を提供することにある。
【課題を解決するための手段】
【００１０】
本発明の切削工具は、工作機械に装着されてワークに溝加工を行うための切削工具であって、前記工作機械に接続されるベースと、前記ベースに支持されてロータ回転軸まわりに回転自在なロータと、前記ロータに支持されて前記ロータ回転軸に平行なカッタ回転軸まわりに回転自在な複数のカッタと、前記ベースに対して前記ロータを回転させるロータ駆動モータと、前記ロータに対して前記カッタを回転させるカッタ駆動モータと、を有することを特徴とする。
本発明において、複数のカッタとしては、同一仕様のカッタを複数用いるとしてもよく、仕様（例えば、径や高さ等の寸法、形状、刃物の配置や向き、加工精度など）の一部が異なるカッタを用いてもよい。
本発明において、カッタとしては、ワークの切削を行うものに限らず、研磨、研削あるいは穿孔など、ワークからその材料を除去することで加工を行うための手段を広く含む。
【００１１】
このような本発明によれば、同一仕様の複数のカッタを用いた場合、ロータに支持された複数のカッタを回転させ、各々の側面の刃物でワークを切削することで、溝加工を行うことができる。この際、ワークに切削される溝の幅は、ロータの角度位置によって変化させることができる。
例えば、ロータに設置されたカッタが２つとして、カッタが溝加工の方向に並んでいる状態では一方のカッタが切削した後、他方のカッタは形成された溝内を通過するだけであり、形成される溝の幅は最小幅であるカッタの外周面の直径寸法となる。一方、２つのカッタが溝加工の方向と直角に並んだ状態では、２つのカッタが並列に切削を行うことになり、２つのカッタの外側を結んだ最大幅の溝が加工されることになる。さらに、ロータを前述した二位置の中間にした場合、２つのカッタの外側を結んだ幅が、前述した最大幅より小さいが前述した最小幅より大きい中間的な任意の寸法とすることができる。
このように、本発明によれば、ロータの回転角度位置によって複数のカッタの配置を変更することができ、この配置変更により溝加工の幅を自由に変更することが可能となる。
【００１２】
一方、仕様が異なる複数のカッタを用いる場合、ワークに対して適用されるカッタをロータの回転角度位置によって選択することができ、工具交換を伴う２回の加工を１回で実行することができる。また、異なるカッタを用いることで、複数の加工内容の組み合わせ、あるいは複数の断面形状の組み合わせ等にも１回の加工で対応できる。
例えば、工具への負荷を軽減するために先溝加工を行う場合があるが、このような場合、先ず小径のカッタで狭い幅の溝を加工しておき、続いて狭い溝に沿って大径のカッタで幅の広い溝を加工してゆくことで、工具交換なしに加工を完了することができる。
あるいは、幅広い溝の底部に狭い溝を二段に形成する場合、高さ寸法が大きく小径のカッタと、高さ寸法が小さく大径のカッタとを組み合わせた切削工具とすることで、工具交換なしに加工を完了することができる。
【００１３】
本発明の切削工具において、
ロータ駆動モータおよびカッタ駆動モータとしては、電動モータあるいは油圧あるいは空気圧などで駆動され流体圧モータなどが適宜利用できる。
【００１４】
このような本発明では、前述したロータおよびカッタの回転駆動に個別のモータを用いるため、構成を簡略にでき、保守性も向上できる。また、カッタおよびロータの駆動が独立しているため、カッタを回転させて溝加工を実行している最中であってもロータを回転させることができ、同時に回転させることで加工される溝幅を連続的に変化させることも可能である。
【００１５】
本発明の切削工具において、前記工作機械は、先端に切削工具が装着されるスピンドルと、前記スピンドルを支持しかつ前記スピンドルをその中心軸廻りに回転駆動するヘッドとを有し、前記ベースは前記ヘッドに接続され、前記ベースには、前記スピンドルに接続されて前記スピンドルの回転により発電する発電機が設置され、前記ロータ駆動モータおよび前記カッタ駆動モータは前記発電機が発電する電力を電源として回転する構成とすることができる。
【００１６】
このような本発明では、スピンドルの回転を動力源とするため、外部からの電源配線等が不要となり、切削工具周辺の設備簡素化が図れる。
なお、ロータ駆動モータおよびカッタ駆動モータとして流体圧モータを用いる場合、発電機に変えて流体を加圧駆動するポンプを設置してもよい。但し、回転制御等の簡略化が可能であるため、電動モータを用いることが望ましい。
【００１７】
本発明の切削工具は、先端に切削工具が装着されるスピンドルと、前記スピンドルを支持しかつ前記スピンドルをその中心軸廻りに回転駆動するヘッドと、を有する工作機械に装着されてワークに溝加工を行うための切削工具であって、前記ヘッドに接続されるベースと、前記ベースに支持されてロータ回転軸まわりに回転自在なロータと、前記ロータに支持されて前記ロータ回転軸に平行なカッタ回転軸まわりに回転自在な複数のカッタと、前記ロータに対して前記カッタを回転させるカッタ駆動モータと、前記ベースに設置され、前記スピンドルに接続されて前記スピンドルの回転を前記ロータに伝達する機構と、を有する構成としてもよい。
このような本発明では、カッタ駆動モータを回転させることで、カッタを用いたワークに対する溝加工を行うことができる。溝加工を行う際、スピンドルを回転（Ｃ軸制御）することにより、ロータをベースに対して回転させることができる。
本発明の切削工具は、先端に切削工具が装着されるスピンドルと、前記スピンドルを支持しかつ前記スピンドルをその中心軸廻りに回転駆動するヘッドと、を有する工作機械に装着されてワークに溝加工を行うための切削工具であって、前記ヘッドに接続されるベースと、前記ベースに支持されてロータ回転軸まわりに回転自在なロータと、前記ロータに支持されて前記ロータ回転軸に平行なカッタ回転軸まわりに回転自在な複数のカッタと、前記ベースに設置され、前記スピンドルに接続されて前記スピンドルの回転を前記ロータおよび前記カッタに伝達する動力伝達機構と、を有し、前記動力伝達機構は、前記スピンドルの回転を前記ロータまたは前記カッタのいずれかに切り替えるクラッチ機構を有する構成としてもよい。
【００１８】
このような動力伝達機構としては、スピンドルの回転を二系統に分けてロータおよびカッタに伝達する歯車機構を基本とし、ロータおよびカッタへの経路中に各々への動力伝達を断続するクラッチ機構を設置し、スピンドルの回転をカッタに伝達することで切削を行うとともに、スピンドルの回転をロータに伝達することでカッタの配置変更を行うようにすればよい。なお、ロータおよびカッタには、動力伝達がない場合に現状位置を保持するブレーキ機構を備えることが望ましい。
このような本発明では、スピンドルの回転を動力源とするため、外部からの電源配線等が不要となり、切削工具周辺の設備簡素化が図れる。
【００１９】
本発明の工作機械は、ワークに溝加工を行うための工作機械であって、前記ワークを載置するテーブルと、前記テーブルに対して移動される前述した本発明の切削工具とを有することを特徴とする。
このような本発明では、前述した切削工具について述べた本発明の効果を得ることができる。
【００２０】
本発明の溝加工方法は、ワークに溝を加工するための溝加工方法であって、前述した本発明の切削工具を用い、前記ロータを前記ベースに対して回転させて前記溝の幅方向における複数の前記カッタの最大幅を調節し、複数の前記カッタを回転させつつ前記溝の連続方向へ移動させて、前記ワークに前記最大幅の前記溝を加工することを特徴とする。
このような本発明では、ロータの回転により複数の前記カッタの最大幅を調節することで、同じカッタのまま交換等を行うことなく、異なる幅の溝を加工することができる。
【発明の効果】
【００２１】
本発明によれば、ロータの回転角度位置によって複数のカッタの配置を変更することができ、この配置変更により異なる幅の溝をワークに加工できるようになる
【図面の簡単な説明】
【００２２】
【図１】本発明の第１実施形態を示す斜視図である。
【図２】前記第１実施形態を示す底面図である。
【図３】前記第１実施形態の内部構成を概略的に示す側面図である。
【図４】前記第１実施形態の最小幅での溝加工を示す模式図である。
【図５】前記第１実施形態の中間幅での溝加工を示す模式図である。
【図６】前記第１実施形態の最大幅での溝加工を示す模式図である。
【図７】前記第１実施形態の溝幅を変更しながらの溝加工を示す模式図である。
【図８】本発明の第２実施形態の内部構成を概略的に示す側面図である。
【図９】本発明の第３実施形態の内部構成を概略的に示す側面図である。
【図１０】本発明の第４実施形態を示す斜視図である。
【図１１】前記第４実施形態を示す側面図である。
【図１２】前記第４実施形態による溝加工を示す平面図である。
【図１３】前記第４実施形態による他の溝加工を示す断面図である。
【図１４】前記第４実施形態による他の溝加工を示す断面図である。
【図１５】本発明の第５実施形態を示す側面図である。
【図１６】本発明の第６実施形態を示す側面図である。
【発明を実施するための形態】
【００２３】
以下、本発明の実施形態を図面に基づいて説明する。
〔第１実施形態〕
図１から図７には、本発明の第１実施形態が示されている。
図１において、本発明の切削工具１は、シャンク１０、ベース２０、ロータ３０を有するとともに、図２に示すような一対のカッタ４０を有し、図３に示すように工作機械のスピンドル２およびこれを支持するヘッド３に装着されてワークに対する溝加工を行うものである。
【００２４】
シャンク１０は、通常の工具に多用されるテーパーシャンク１１および自動工具交換用の支持部１２を備え、このテーパーシャンク１１でスピンドル２に接続されることで、スピンドル２と一体に回転可能である。シャンク１０は、テーパーシャンク１１とは反対側（図３中下向き）に延びるシャフト１３を有し、このシャフト１３はベース２０内に挿入されている。
【００２５】
ベース２０は、全体として扁平な円筒形のケース２１を有し、ベアリング等（図示省略）によりシャンク１０に回転自在に支持されている。
ベース２０の外周面の一部には径方向に膨出した保持部２２が形成されている。保持部２２には円錐台状のサブシャンク２３が形成され、このサブシャンク２３はヘッド３から延びる延長部３Ａに接続可能である。この延長部３Ａとサブシャンク２３との接続により、ベース２０はヘッド３に対して固定される。
【００２６】
図３に示すように、ロータ３０は、円筒状のケース３１を有し、内部に設置されたベアリング３２を介してベース２０に回転自在に支持されている。
ロータ３０のベース２０に対する回転軸（ロータ回転軸ＡＲ）は、スピンドル２の回転軸ＡＳおよび前述したシャンク１０のシャフト１３の回転軸と同一になっている。
前述したシャンク１０のシャフト１３は、ベース２０を貫通してロータ３０内まで延長され、その中間部にはフランジ１４が固定されている。フランジ１４の外周はケース３１の内側に固定され、スピンドル２によりシャンク１０が回転駆動されることでロータ３０が一体に回転し、ヘッド３およびベース２０に対して回転方向を指定することができる。これにより、スピンドル２のＣ軸制御（回転角度制御）により、ロータ３０の回転角度位置を制御することができる。
【００２７】
ロータ３０のベース２０とは反対側には一対のカッタ駆動モータ４５が設置され、各々には同じカッタ４０が装着されている。
カッタ駆動モータ４５は、高圧空気で駆動されるエアモータであり、配管４５Ａを介してシャフト１３の端面に連結され、シャフト１３ないしシャンク１０の中心に沿って形成された通路１３Ａを経由してスピンドル２に接続されている。従って、スピンドル２から高圧空気を供給することで、カッタ駆動モータ４５が駆動され、カッタ４０が回転する。
【００２８】
カッタ４０は、円筒状のホルダ４１の周面ないし端面にかけて複数の刃物４２を装着したものであり、カッタ駆動モータ４５で回転駆動されることで刃物４２によりワークに対する溝加工を行うことができる。
カッタ駆動モータ４５の回転軸つまりカッタ４０の回転軸であるカッタ回転軸ＡＣは、前述したロータ回転軸ＡＲと平行とされ、かつ一対のカッタ回転軸ＡＣは互いにロータ回転軸ＡＲの反対側に等距離で配置されている。
【００２９】
本実施形態において、カッタ駆動モータ４５への空気供給は、サブシャンク２３を通る通路２３Ａから行うようにしてもよい。
本実施形態において、カッタ駆動モータ４５として油圧モータを用いてもよい。但し、この場合、作動油の回収用配管等が必要となるため、大気に排出できるエアモータを用いることが望ましい。
本実施形態において、カッタ駆動モータ４５として電動モータを用いてもよい。電動モータを用いる場合、給電用の配線経路としてサブシャンク２３を通る通路２３Ａを用いることができる。
【００３０】
本実施形態において、前述した図３の構成の通りカッタ駆動モータ４５および通路１３Ａを用いる場合、サブシャンク２３および通路２３Ａは省略してもよく、ベース２０から膨出する保持部２２も省略することができる。すなわち、ベース２０がヘッド３に対して固定される必要はなく、最も簡単な構成として、シャンク１０からロータ３０が一体となった構成としてもよい。このような場合、通常の切削工具と全く同様に交換等を行って使用することができる。
【００３１】
このような本実施形態においては、スピンドル２から高圧空気を供給することでカッタ駆動モータ４５を回転させ、カッタ４０を用いたワークに対する溝加工を行うことができる。その際のカッタ４０の回転速度等はスピンドル２からの高圧空気の供給状態（圧力および流量）に基づき、これらは工作機械側から制御することができる。
溝加工を行う際、スピンドル２を回転（Ｃ軸制御）することにより、ロータ３０をベース２０に対して回転させることで、加工する溝に対するカッタ４０の並び方向を変更することができ、この並び方向により加工する溝幅を調整することができる。
【００３２】
図４から図６には、ワーク４に溝５を加工する際の溝幅調整の具体例が示されている。
なお、各図において、一対のカッタ４０は各々のカッタ回転軸ＡＣを中心に、例えば反対方向に回転駆動され、ワーク４に対する切削を行う。また、溝５の連続方向となるカッタ４０の送り方向ＤＭ、カッタ４０単体の最大外径Ｄ、一対のカッタ４０の並び方向ＤＣ、溝５の最小幅Ｗ１、中間的な幅Ｗ２、最大幅Ｗ３とする。
【００３３】
図４において、溝５を最小幅Ｗ１とする場合、一対のカッタ４０を回転させてカッタ４０の並び方向ＤＣを溝５の方向ＤＭに合わせる。
この状態では、方向ＤＭから見ると、一対のカッタ４０は重なって最外側の距離はカッタ４０の最大外径Ｄひとつ分になる。
従って、この状態でカッタ４０を回転させて切削を行いつつ、カッタ４０を方向ＤＭへと送ることで、最小幅Ｗ１＝最大外径Ｄの溝５が形成される。
【００３４】
図５において、溝５を中間的な幅Ｗ２とする場合、一対のカッタ４０を回転させてカッタ４０の並び方向ＤＣを溝５の方向ＤＭに対して角度Ｓ２だけ傾斜させる。
この状態では、方向ＤＭから見ると、一対のカッタ４０が並び、最外側の距離はカッタ４０の最大外径Ｄひとつ分よりも大きくなる。
従って、この状態でカッタ４０を回転させて切削を行いつつ、カッタ４０を方向ＤＭへと送ることで、幅Ｗ２＞最大外径Ｄの溝５が形成される。
【００３５】
図６において、溝５を最大幅Ｗ３とする場合、一対のカッタ４０を回転させてカッタ４０の並び方向ＤＣを溝５の方向ＤＭに対して直交方向とする。
この状態では、方向ＤＭから見ると、一対のカッタ４０が互いに真横に並び、最外側の距離はカッタ４０の最大外径Ｄひとつ分と一対のカッタ回転軸の距離との和となる。
従って、この状態でカッタ４０を回転させて切削を行いつつ、カッタ４０を方向ＤＭへと送ることで、最大幅Ｗ３の溝５が形成される。
【００３６】
本実施形態の切削工具１は、ロータ駆動モータ３９とカッタ駆動モータ４９とを同時に作動させることができるため、カッタ４０の並び方向ＤＣを変化させながら同時に加工を進めることができる。このような加工により、連続的に幅が変化する溝を加工することができる。
【００３７】
図７において、溝５は板状のワーク４の端面に加工されるテーパ溝である。このような溝５は本発明の切削工具１で簡単に加工することができる。
先ず、一対のカッタ４０の最外側の距離が幅Ｗ４となるようにカッタ４０の並び方向ＤＣの傾きＳ４を調整しておく。この状態でカッタ４０をそれぞれ回転させてワーク４に切り込む。
続いて、切削と平行してカッタ４０の並び方向ＤＣの傾きを変化させつつ切削を進め、ワーク４の出口側でカッタ４０の最外側の距離が幅Ｗ５となるような並び方向ＤＣの傾きＳ５となるまで回転位置を調整する。
【００３８】
このような並び方向ＤＣの調整と平行して切削を進めることで、テーパ溝の加工が１パスで実施できる。
なお、図７において、一対のカッタ４０は、並び方向ＤＣがカッタ４０の送り方向ＤＭに対して傾斜しており、ふたつのカッタ４０は送り方向ＤＭに対して前後になる。一方、テーパ状の溝５は送り方向ＤＭに沿って幅が変化するため、それぞれカッタ４０がある位置では異なる幅となる。従って、送り動作にあたっては、送り方向ＤＭに対して幅方向にオフセットＯＦをとり、前後のカッタ４０が正確に溝５の内側を切削するように補正することが好ましい。
【００３９】
〔第２実施形態〕
図８には、本発明の第２実施形態が示されている。
図８において、切削工具１Ａは、前述した第１実施形態と同様なシャンク１０、ベース２０、ロータ３０、カッタ４０を有する。これらの共通する構成については、簡略化のため同じ符号を付し、重複する説明を省略する。
本実施形態においては、ロータ３０およびカッタ４０を動作させるための内部構成が異なる。
【００４０】
シャンク１０のシャフト１３は、ベース２０を貫通してロータ３０内まで延長され、その中間部にはフランジ１４が固定されている。
ロータ３０のケース３１の内側にはソレノイド３３を介してクラッチ板３４が設置されている。クラッチ板３４はフランジ１４に対向され、通常はフランジ１４との間に隙間があるが、ソレノイド３３を作動させることでフランジ１４に向けて付勢され、フランジ１４に圧接される。フランジ１４とクラッチ板３４が圧接された状態では、シャフト１３の回転がロータ３０に伝達され、ヘッド３に対するスピンドル２の回転により、ベース２０に対してロータ３０が回転される。
【００４１】
なお、ソレノイド３３を解除した際にはクラッチ板３４がフランジ１４から確実に離隔するように、他のばね等を用いてもよい。さらに、フランジ１４から離隔したクラッチ板３４がベース２０の一部に接触するように構成すれば、ロータ３０をベース２０に対して回転させないようにするブレーキ機能とすることができる。
【００４２】
一対のカッタ４０は、それぞれロータ３０の端面に軸支されたシャフト４３に支持され、シャフト４３は歯車機構４４を介してシャフト１３に噛合されている。従って、クラッチ板３４がフランジ１４から離れてロータ３０が回転しない状態では、シャフト１３の回転、つまりスピンドル２の回転により一対のカッタ４０が回転駆動され、ワークに対する切削を行うことができる。
【００４３】
このような本実施形態によっても、一対のカッタ４０をそれぞれ回転駆動できるとともに、ロータ３０の回転により一対のカッタ４０の並び方向ＤＣ（図４〜図６参照）を調節することができ、前述した第１実施形態と同様な効果を得ることができる。
但し、カッタ４０およびロータ３０の動力源として、スピンドル２の回転をクラッチ板３４で切り替えて利用するため、カッタ４０およびロータ３０を同時に動作させることができず、このため図７の動作を行うためにはクラッチ板３４の切り替えを頻繁に行う等の処理が必要となる。
【００４４】
〔第３実施形態〕
図９には、本発明の第３実施形態が示されている。
図９において、切削工具１Ｂは、前述した第１実施形態と同様なシャンク１０、ベース２０、ロータ３０、カッタ４０を有する。これらの共通する構成については、簡略化のため同じ符号を付し、重複する説明を省略する。
本実施形態においては、ロータ３０およびカッタ４０を動作させるための内部構成が異なる。
【００４５】
ロータ３０は、円筒状のケース３１を有し、内部に設置されたベアリング３２を介してベース２０に回転自在に支持されている。
ロータ３０のケース３１の内部にはロータ駆動モータ３９が設置され、ベース２０のケース２１の内部には内歯車２４が設置されている。ロータ駆動モータ３９のシャフトには図示しないピニオンが装着され、このピニオンが内歯車２４に噛合されており、コントローラ２９からの指令によりロータ駆動モータ３９が回転することで、ロータ３０はベース２０に対して回転される。
なお、ロータ３０のベース２０に対する回転軸（ロータ回転軸ＡＲ）は、スピンドル２の回転軸ＡＳおよび前述したシャンク１０のシャフト１３の回転軸と同一になっている。
【００４６】
ロータ３０のベース２０とは反対側には一対のカッタ駆動モータ４９が設置され、各々には同じカッタ４０が装着されている。
一対のカッタ駆動モータ４９はコントローラ２９で制御される。コントローラ２９は保持部２２内には設置されている。サブシャンク２３および延長部３Ａには、それぞれ対応する配線用コネクタ（図示省略）が設置されており、これらの延長部３Ａおよびサブシャンク２３のコネクタ同士の接続により、ヘッド３側からコントローラ２９への制御信号等の電気的接続が得られるようになっている。
【００４７】
このような本実施形態によっても、一対のカッタ４０をそれぞれ回転駆動できるとともに、ロータ３０の回転により一対のカッタ４０の並び方向ＤＣ（図４〜図６参照）を調節することができ、前述した第１実施形態と同様な効果を得ることができる。
特に、カッタ４０およびロータ３０の動力源を独立した電動式のカッタ駆動モータ４９およびロータ駆動モータ３９としたため、前述した図７のようなカッタ４０およびロータ３０の同時動作も自由に行うことができる。
なお、本実施形態において、電動式のカッタ駆動モータ４９およびロータ駆動モータ３９への電力供給は、サブシャンク２３および延長部３Ａを経てヘッド３から得るようにすればよいが、スピンドル２による発電による電力を用いてもよい。
【００４８】
図９において、ベース２０の内部には発電機１９が設置され、この発電機１９の回転子はシャフト１３に接続されている。前述の通り、ベース２０はヘッド３に固定され、スピンドル２が回転した際には発電機１９の回転子がスピンドル２によって駆動され、これによりスピンドル２の駆動力を用いて発電を行うことができる。
この発電機１９で発生した電力を前述したロータ駆動モータ３９およびカッタ駆動モータ４９の電源として用い、コントローラ２９により動作を制御するように構成してもよい。
なお、電力の安定化を図るために、発電した電力を蓄える二次電池などを併せて用いるようにしてもよい。また、電力負荷に応じて発電機１９およびスピンドル２の回転速度を調整してもよい。
【００４９】
〔他の実施形態〕
なお、本実施形態ではシャフト１３ないしカッタ４０に至る伝達経路は常時噛み合いであり、クラッチ板３４によりロータ３０を回転させる際にもカッタ４０が回転することになるが、実用上問題ない。あるいは、歯車機構４４などに噛み合いを解除する機構その他のクラッチ機構を設け、ロータ３０を回転させる際にはカッタ４０が回転しないように構成してもよい。
【００５０】
なお、本発明は前述した実施形態に限定されるものではなく、本発明の目的を達成できる範囲内での変形等は本発明に含まれるものである。
前記実施形態では、２つのカッタを用いたが、３つ以上のカッタを用いてもよい。３つ以上のカッタは、複数が一列に並ぶ配置、Ｖ字状の配置など、適宜な配置とすることができる。
本発明において、カッタとしては、ワークの切削を行うものに限らず、研磨、研削あるいは穿孔など、ワークからその材料を除去することで加工を行うための手段を広く含む。
【００５１】
前述した第１実施形態ないし第３実施形態では、２つのカッタ４０を同じものとしたが、一方を大径とし、他方を小径としてもよい。このような場合、並び方向ＤＣを送り方向ＤＭとした際の溝幅は大径のカッタの径となるが、小径のカッタを送り方向ＤＭの前側とすることで、先に小径の溝の切削を行い、続いて大径の溝に拡げるという二段切削を行うことができ、切削性が低い材料への適用などで効果的である。
【００５２】
同様に、２つのカッタ４０の一方を軸方向の高さが大きく、他方を高さが小さいものとしてもよい。このような構成では、溝の深さについての二段切削を行うことができる。さらに、高さおよび径の両方が異なるカッタを用いてもよい。
【００５３】
〔第４実施形態〕
図１０ないし図１４には、本発明の第４実施形態が示されている。
前述した第１実施形態ないし第３実施形態では、それぞれ２つのカッタ４０が同一仕様のものであった。これに対し、本実施形態では異なる仕様のカッタ４０Ａ，４０Ｂを用いる。
図１０および図１１において、本実施形態のカッタ４０Ａ，４０Ｂは、一方のカッタ４０Ａが比較的小径（外径Ｄ１）で軸方向長さ（高さ）が比較的大きい（長さＬ１）であるのに対し、他方のカッタ４０Ｂは比較的大径（外径Ｄ２＞Ｄ１）で軸方向長さ（高さ）が比較的小さい（長さＬ２＜Ｌ１）である。
本実施形態のカッタ４０Ａ，４０Ｂにおける、これらの寸法の相違は、基本的にホルダ４１Ａ，４１Ｂの相違であり、これらに装着された刃物４２は同じものとされている。
【００５４】
これらのカッタ４０Ａ，４０Ｂが装着される切削工具１は、カッタ部分を除いて前述した第１実施形態と同じであり、同一部分については同じ符号を用いるとともに、重複する説明を省略する。なお、本実施形態において、第２実施形態の切削工具１Ａあるいは第３実施形態の切削工具１Ｂと同じ構成にカッタ４０Ａ，４０Ｂを装着してもよい。
【００５５】
このような本実施形態においては、小径のカッタ４０Ａによる先溝加工（図１２参照）を行うことができるほか、底面に狭い溝が形成された二段溝（図１３および図１４参照）の加工を行うことができる。
図１２において、先溝加工を行う場合、先ずロータ３０を回転させてカッタ４０Ａ，４０Ｂの並びを溝の連続方向（図１２の左から右）に合わせ、先行するカッタ４０Ａによりワーク４に狭い溝５Ａを切り込んでゆく。さらに、追従するカッタ４０Ｂにより広い溝５Ｂを形成してゆく。
このような加工により、ワーク４に広い溝５Ｂを加工することができるとともに、先行する狭い溝５Ａの加工を同じ動作のなかで実行することができ、従来の工具交換および２回の繰り返し加工が不要となり、作業効率の向上が期待できる。
本実施形態では、ロータ３０を回転させてカッタ４０Ａ，４０Ｂが並ぶ方向を選択することができ、ワーク４における溝がどのような方向であっても適切に対応することができる。
【００５６】
二段溝を形成する場合、溝の連続方向に合わせてロータ３０を回転させるとともに、溝の断面形状に応じてロータ３０の回転角度位置を調整する。
図１３のように、広い溝５Ｂの底面の中間に狭い溝５Ａがある場合、溝の連続方向に対してカッタ４０Ａ，４０Ｂの整列方向が揃うようにすればよい。この状態でカッタ４０Ａ，４０Ｂによりワーク４を切り進むことで、図１３の断面形状が加工される。
図１４のように、広い溝５Ｂの一方の側壁に沿って狭い溝５Ａがある場合、溝の連続方向に対してカッタ４０Ａ，４０Ｂの整列方向を傾斜させ、カッタ４０Ａ，４０Ｂの各外径が溝の連続方向に揃うようにすればよい。この状態でカッタ４０Ａ，４０Ｂによりワーク４を切り進むことで、図１４の断面形状が加工される。
【００５７】
図１３および図１４の加工において、広い溝５Ｂの深さは、ワーク４に対するカッタ４０Ａ，４０Ｂの相対位置で決定される。一方、狭い溝５Ａの深さ（広い溝５Ｂの底面から）は、カッタ４０Ａ，４０Ｂの長さの差（Ｌ１−Ｌ２）に固定される。狭い溝５Ａの深さを変更したい場合には、カッタ４０Ａ，４０Ｂの長さを適宜変更することで対応できる。
【００５８】
〔第５実施形態〕
図１５には、本発明の第５実施形態が示されている。
前述した第１実施形態ないし第４実施形態では、それぞれ２つの同一のカッタ４０あるいは異なる仕様のカッタ４０Ａ，４０Ｂを用いており、各々は刃物４２が装着されて回転切削を行うものであった。これに対し、本実施形態ではカッタとして研磨ツール４０Ｃ，４０Ｄを用いる。
図１５において、研磨ツール４０Ｃ，４０Ｄは、ロータ３０に設置されたカッタ駆動モータ４９（図１参照）等で回転駆動される。ロータ３０は前述した第１実施形態ないし第３実施形態で説明した切削工具１，１Ａ，１Ｂの一部であり、これらの全体の説明は省略する。
【００５９】
研磨ツール４０Ｃ，４０Ｄは、第１実施形態と同様なホルダ４１を有し、その端面に研磨材４２Ｃ，４２Ｄを張ったものである。研磨材４２Ｃは比較的粗とされ、この研磨材４２Ｃが張られた研磨ツール４０Ｃは粗研磨用とされる。研磨材４２Ｄは比較的密とされ、この研磨材４２Ｄが張られた研磨ツール４０Ｄは精密仕上げ用とされる。
このような本実施形態では、ロータ３０を回転させてワークに対して適用される研磨ツール４０Ｃ，４０Ｄを選択することで、粗研磨と精密仕上げとを切り替えることができ、工具交換なしに複数の加工を行うことができる。
なお、本実施形態では端面研磨を行う研磨ツール４０Ｃ，４０Ｄを用いたが、側面研磨を行うものとしてもよい。
【００６０】
〔第６実施形態〕
図１６には、本発明の第６実施形態が示されている。
前述した第１実施形態ないし第４実施形態では、それぞれ２つの同一のカッタ４０あるいは異なる仕様のカッタ４０Ａ，４０Ｂを用い、各々により側面切削あるいは端面切削を行うとしたが、各々で用いたカッタはいわゆるフライスカッタであった。これに対し、本実施形態ではカッタとしてエンドミル４０Ｅ，４０Ｆを用いる。
図１６において、エンドミル４０Ｅ，４０Ｆは、ロータ３０に設置されたカッタ駆動モータ４５，４９（図３，図９参照）等で回転駆動される。ロータ３０は前述した第１実施形態ないし第３実施形態で説明した切削工具１，１Ａ，１Ｂの一部であり、これらの全体の説明は省略する。
【００６１】
エンドミル４０Ｅ，４０Ｆは、第１実施形態と同様なホルダ４１Ｆ，４１Ｅを有し、各々にエンドミル用の刃物４２Ｅ，４２Ｆが固定されている。本実施形態においては、図１６のような先端が平坦なストレートエンドミルを採用するが、先端が半球状のボールエンドミルを用いてもよい。
本実施形態において、エンドミル用の刃物４２Ｅは比較的小径とされ、この刃物４２Ｅが固定されたエンドミル４０Ｅは精密加工用とされる。エンドミル用の刃物４２Ｆは比較的大径とされ、この刃物４２Ｆが固定されたエンドミル４０Ｆは粗加工用とされる。
このような本実施形態では、ロータ３０を回転させてワークに対して適用されるエンドミル４０Ｅ，４０Ｆを選択することで、エンドミル加工の粗密を切り替えることができ、工具交換なしに複数の加工を行うことができる。
【産業上の利用可能性】
【００６２】
本発明は、工作機械に装着されてワークに溝を切削加工する切削工具、ワークに溝を切削加工する工作機械および溝加工方法として利用できる。
【符号の説明】
【００６３】
１，１Ａ，１Ｂ…切削工具
２…スピンドル
３…ヘッド
３Ａ…延長部
４…ワーク
５，５Ａ，５Ｂ…溝
１０…シャンク
１１…テーパーシャンク
１２…支持部
１３…シャフト
１４…フランジ
１９…発電機
２０…ベース
２１…ケース
２２…保持部
２３…サブシャンク
２４…内歯車
２９…コントローラ
３０…ロータ
３１…ケース
３２…ベアリング
３３…ソレノイド
３４…クラッチ板
３９…ロータ駆動モータ
４０，４０Ａ，４０Ｂ…カッタ
４０Ｃ，４０Ｄ…カッタとしての研磨ツール
４０Ｅ，４０Ｆ…カッタとしてのエンドミル
４１，４１Ａ，４１Ｂ，４１Ｅ，４１Ｆ…ホルダ
４２，４２Ｅ，４２Ｆ…刃物４２Ｃ，４２Ｄ…研磨材
４３…シャフト
４４…歯車機構
４５，４９…カッタ駆動モータ
ＡＲ…ロータ回転軸
ＡＳ…スピンドル回転軸
Ｄ…最大外径
ＤＣ…並び方向
ＤＭ…送り方向
ＯＦ…オフセット
Ｓ２…角度
Ｗ１…最小幅
Ｗ２…中間的な幅
Ｗ３…最大幅
Ｗ４，Ｗ５…幅
【図１】
0005818506.tif 000002
【図２】
0005818506.tif 000003
【図３】
0005818506.tif 000004
【図４】
0005818506.tif 000005
【図５】
0005818506.tif 000006
【図６】
0005818506.tif 000007
【図７】
0005818506.tif 000008
【図８】
0005818506.tif 000009
【図９】
0005818506.tif 000010
【図１０】
0005818506.tif 000011
【図１１】
0005818506.tif 000012
【図１２】
0005818506.tif 000013
【図１３】
0005818506.tif 000014
【図１４】
0005818506.tif 000015
【図１５】
0005818506.tif 000016
【図１６】
0005818506.tif 000017